(57)【要約】【課題】商品を封入した後の輸送の際等にも、不意に上方開口部が開くことを防止することができるスライダ付き収納袋を提供する。【解決手段】上方開口部１にファスナ２が固着されたプラスチック製袋本体３と、袋本体３に固着されて上方開口部１を被覆するプラスチック製カバーシート体４と、ファスナ２にスライド自在に取着されるスライダ５を、備える。カバーシート体４の非被覆状態で、カバーシート体４をファスナ２より下方に配設する。カバーシート体４が、垂下シート部６を有し、垂下シート部６を捲上げてファスナ２及びスライダ５を被覆可能に構成するとともに、カバーシート体４の被覆状態を保持する被覆状態保持手段を有する。【選択図】図１
2020104856.tif 000002
【特許請求の範囲】
【請求項１】
上方開口部（１）にファスナ（２）が固着されたプラスチック製袋本体（３）と、該袋本体（３）に固着されて上記上方開口部（１）を被覆するプラスチック製カバーシート体（４）と、上記ファスナ（２）にスライド自在に取着されるスライダ（５）を、備え、
上記カバーシート体（４）の非被覆状態で、該カバーシート体（４）を上記ファスナ（２）より下方に配設するとともに、上記カバーシート体（４）が、垂下シート部（６）を有し、該垂下シート部（６）を捲上げて上記ファスナ（２）及び上記スライダ（５）を被覆可能に構成するとともに、上記カバーシート体（４）の被覆状態を保持する被覆状態保持手段（19）を有することを特徴とするスライダ付き収納袋。
【請求項２】
上方開口部（１）にファスナ（２）が固着されたプラスチック製袋本体（３）と、該袋本体（３）に固着されて上記上方開口部（１）を被覆するプラスチック製カバーシート体（４）と、上記ファスナ（２）にスライド自在に取着されるスライダ（５）を、備え、
上記カバーシート体（４）の非被覆状態で、該カバーシート体（４）を上記ファスナ（２）より下方に配設するとともに、上記カバーシート体（４）が、垂下シート部（６）を有し、かつ、小切欠部（32）を有し、該垂下シート部（６）を捲上げて上記ファスナ（２）を被覆可能に構成するとともに、被覆状態で上記小切欠部（32）から上記スライダ（５）が露出し、上記小切欠部（32）の内端縁部（33）によって、上記スライダ（５）の開く方向への移動を阻止するように構成し、さらに、上記カバーシート体（４）の被覆状態を保持する被覆状態保持手段（19）を有することを特徴とするスライダ付き収納袋。
【請求項３】
紙製袋部（16）と、該袋部（16）の上端縁部（20）に上方延設状に固着されたファスナ取着用プラスチック製補助シート部（17）とを有する袋本体（30）と、上記補助シート部（17）に固着されて上記袋本体（30）の上方開口部（31）を被覆するプラスチック製カバーシート体（４）と、を、備え、
上記上方開口部（31）にファスナ（２）が固着され、該ファスナ（２）にスライド自在にスライダ（５）が取着され、
上記カバーシート体（４）の非被覆状態で、該カバーシート体（４）を上記ファスナ（２）より下方に配設するとともに、上記カバーシート体（４）が、垂下シート部（６）を有し、該垂下シート部（６）を捲上げて上記ファスナ（２）及び上記スライダ（５）を被覆可能に構成するとともに、上記カバーシート体（４）の被覆状態を保持する被覆状態保持手段（19）を有することを特徴とするスライダ付き収納袋。
【請求項４】
紙製袋部（16）と、該袋部（16）の上端縁部（20）に上方延設状に固着されたファスナ取着用プラスチック製補助シート部（17）とを有する袋本体（30）と、上記補助シート部（17）に固着されて上記袋本体（30）の上方開口部（31）を被覆するプラスチック製カバーシート体（４）と、を、備え、
上記上方開口部（31）にファスナ（２）が固着され、該ファスナ（２）にスライド自在にスライダ（５）が取着され、
上記カバーシート体（４）の非被覆状態で、該カバーシート体（４）を上記ファスナ（２）より下方に配設するとともに、上記カバーシート体（４）が、垂下シート部（６）を有し、かつ、小切欠部（32）を有し、該垂下シート部（６）を捲上げて上記ファスナ（２）を被覆可能に構成するとともに、被覆状態で上記小切欠部（32）から上記スライダ（５）が露出し、上記小切欠部（32）の内端縁部（33）によって、上記スライダ（５）の開く方向への移動を阻止するように構成し、さらに、上記カバーシート体（４）の被覆状態を保持する被覆状態保持手段（19）を有することを特徴とするスライダ付き収納袋。
【請求項５】
上記カバーシート体（４）が矩形状であって、山折線（７）をもって折曲げられて、上記袋本体（３）側に配設される内シート部（８）と、該内シート部（８）の外面（９）側に配設される外シート部（10）とが、形成されており、上記内シート部（８）の側端縁部（11）及び下端縁部（12）が、袋本体（３）に固着されて、上記袋本体（３）と上記内シート部（８）とによりポケット部（13）を形成した請求項１，２，３又は４記載のスライダ付き収納袋。
【発明の詳細な説明】
【技術分野】
【０００１】
本発明は、スライダ付き収納袋に関する。
【背景技術】
【０００２】
従来、商品（収納物）を収納して販売するための、スライダ付き収納袋が知られている（例えば、特許文献１参照）。
【先行技術文献】
【特許文献】
【０００３】
【特許文献１】特開２００４−２７７０１２号公報
【特許文献２】特許第６２５７３２１号公報
【発明の概要】
【発明が解決しようとする課題】
【０００４】
特許文献１記載のスライダ付き収納袋は、商品を封入した後の輸送の際等に、不意に上方開口部が開いてしまうという問題がある。そこで、ファスナ及びスライダを被覆する構成として本発明者等は図12に示すような構成のスライダ付き収納袋を試作して、問題点の有無を、種々検討してみた。即ち、前半体40と後半体41の左右側辺と下辺を溶着・折曲げにて閉鎖し、上方開口部にファスナを付設した収納袋に於て、後半体41を山折り及び谷折りして谷折部42より上部43にてファスナ44及びスライダ45を被覆するような構造とした場合、非被覆状態で、谷折部42より上部43が上方へ起立するとともにファスナ44近傍の山折部46と近接乃至接触しているので、後付けスライダ45（例えば、特許文献２参照）を取着する際、谷折部42に指Ｆを差し入れつつ２部品45ａ，45ｂの各々をファスナ44の所定位置に配設するとともに、２部品45ａ，45ｂの嵌合作業を行なわなければならず、取着作業が困難だという問題がある。
【０００５】
さらに、上記のように、後半体41を山折り及び谷折りする構造では、スライダ45の２つの溝部47，48のうち一方（溝部47）に、前半体40の（非折重状態の）１枚を差込状としつつ、他方（溝部48）に、２枚に折重なった後半体41（山折部46）を差込状とするので、スライダ45の２つの溝部47，48の幅が、大小異なる特殊なものとなり、製造に手間がかかるという問題もある。また、スライダ45の２つの溝部47，48の幅を同一とすると、スライダ45をスライドさせにくくなったり、逆に、ファスナ44が確実に閉じなくなるという問題もある。
【０００６】
そこで、本発明は、商品を封入した後の輸送の際等にも、不意に上方開口部が開くことを防止することができるスライダ付き収納袋を提供することを目的とする。また、後付けスライダを容易に取着することができるスライダ付き収納袋を提供することを目的とする。そして、容易にスライダをスライドさせることができるスライダ付き収納袋を提供することを目的とする。
【課題を解決するための手段】
【０００７】
そこで、本発明に係るスライダ付き収納袋は、上方開口部にファスナが固着されたプラスチック製袋本体と、該袋本体に固着されて上記上方開口部を被覆するプラスチック製カバーシート体と、上記ファスナにスライド自在に取着されるスライダを、備え、上記カバーシート体の非被覆状態で、該カバーシート体を上記ファスナより下方に配設するとともに、上記カバーシート体が、垂下シート部を有し、該垂下シート部を捲上げて上記ファスナ及び上記スライダを被覆可能に構成するとともに、上記カバーシート体の被覆状態を保持する被覆状態保持手段を有するものである。
【０００８】
また、上方開口部にファスナが固着されたプラスチック製袋本体と、該袋本体に固着されて上記上方開口部を被覆するプラスチック製カバーシート体と、上記ファスナにスライド自在に取着されるスライダを、備え、上記カバーシート体の非被覆状態で、該カバーシート体を上記ファスナより下方に配設するとともに、上記カバーシート体が、垂下シート部を有し、かつ、小切欠部を有し、該垂下シート部を捲上げて上記ファスナを被覆可能に構成するとともに、被覆状態で上記小切欠部から上記スライダが露出し、上記小切欠部の内端縁部によって、上記スライダの開く方向への移動を阻止するように構成し、さらに、上記カバーシート体の被覆状態を保持する被覆状態保持手段を有するものである。
【０００９】
また、紙製袋部と、該袋部の上端縁部に上方延設状に固着されたファスナ取着用プラスチック製補助シート部とを有する袋本体と、上記補助シート部に固着されて上記袋本体の上方開口部を被覆するプラスチック製カバーシート体と、を、備え、上記上方開口部にファスナが固着され、該ファスナにスライド自在にスライダが取着され、上記カバーシート体の非被覆状態で、該カバーシート体を上記ファスナより下方に配設するとともに、上記カバーシート体が、垂下シート部を有し、該垂下シート部を捲上げて上記ファスナ及び上記スライダを被覆可能に構成するとともに、上記カバーシート体の被覆状態を保持する被覆状態保持手段を有するものである。
【００１０】
また、紙製袋部と、該袋部の上端縁部に上方延設状に固着されたファスナ取着用プラスチック製補助シート部とを有する袋本体と、上記補助シート部に固着されて上記袋本体の上方開口部を被覆するプラスチック製カバーシート体と、を、備え、上記上方開口部にファスナが固着され、該ファスナにスライド自在にスライダが取着され、上記カバーシート体の非被覆状態で、該カバーシート体を上記ファスナより下方に配設するとともに、上記カバーシート体が、垂下シート部を有し、かつ、小切欠部を有し、該垂下シート部を捲上げて上記ファスナを被覆可能に構成するとともに、被覆状態で上記小切欠部から上記スライダが露出し、上記小切欠部の内端縁部によって、上記スライダの開く方向への移動を阻止するように構成し、さらに、上記カバーシート体の被覆状態を保持する被覆状態保持手段を有するものである。
【００１１】
また、上記カバーシート体が矩形状であって、山折線をもって折曲げられて、上記袋本体側に配設される内シート部と、該内シート部の外面側に配設される外シート部とが、形成されており、上記内シート部の側端縁部及び下端縁部が、袋本体に固着されて、上記袋本体と上記内シート部とによりポケット部を形成したものである。
【発明の効果】
【００１２】
本発明のスライダ付き収納袋によれば、商品を封入した後の輸送の際等にも、不意に上方開口部が開くことを防止することができる。また、後付けスライダを容易に取着することができる。そして、容易にスライダをスライドさせることができる。
【図面の簡単な説明】
【００１３】
【図１】本発明の第１の実施の形態を示す正面図である。
【図２】図１のＢ−Ｂ拡大端面図である。
【図３】使用状態を示す要部拡大端面図であって、（Ａ）は図１のＡ−Ａ端面に相当する位置の要部拡大端面図、（Ｂ）は図１のＢ−Ｂ端面に相当する位置の要部拡大端面図である。
【図４】開封時の状態を示す断面図である。
【図５】第２の実施の形態の使用状態を示す正面図である。
【図６】要部拡大断面図であって、（Ａ）は使用前の状態を示す要部拡大断面図、（Ｂ）は使用状態を示す要部拡大断面図である。
【図７】第３の実施の形態を示す要部断面図である。
【図８】第４の実施の形態の非被覆状態を示す正面図であって、（Ａ）は全体正面図、（Ｂ）は要部拡大正面図である。
【図９】第４の実施の形態の被覆状態を示す図であって、（Ａ）は要部拡大正面図、（Ｂ）は図９（Ａ）のＥ−Ｅ断面図である。
【図１０】第５の実施の形態を示す正面図である。
【図１１】ミシン目の位置を示す要部拡大断面図であって、（Ａ）は外シート部の上部にミシン目が形成されている要部拡大断面図、（Ｂ）は内シート部と外シート部の境界部分にミシン目が形成されている要部拡大断面図、（Ｃ）は内シート部の上部にミシン目が形成されている要部拡大断面図である。
【図１２】従来例を示す要部断面図であって、（Ａ）はスライダ取着前の要部断面図、（Ｂ）はスライダ取着の際の要部断面図である。
【発明を実施するための形態】
【００１４】
以下、図示の実施の形態に基づいて本発明を詳説する。
図１・図２は、本発明の第１の実施の形態を示す。このスライダ付き収納袋は、上方開口部１にファスナ２が固着（溶着）されて上方開口部１を被覆するプラスチック製袋本体３と、袋本体３に固着（溶着）されたプラスチック製カバーシート体４と、ファスナ２にスライド自在に取着されるスライダ５を、備える。図１に於て、点々部は、溶着部を示す。
【００１５】
カバーシート体４の非被覆状態で、カバーシート体４をファスナ２より下方に配設する。カバーシート体４が、垂下シート部６を有し、垂下シート部６を捲上げてファスナ２及びスライダ５を被覆可能に構成する。
【００１６】
カバーシート体４が矩形状であって、山折線７をもって折曲げられて、袋本体３側に配設される内シート部８と、内シート部８の外面９側に配設される外シート部10とが、形成されており、内シート部８の側端縁部11及び下端縁部12が、袋本体３に固着（融着）されて、袋本体３と内シート部８とによりポケット部13が形成される。袋本体３の材質とカバーシート体４の材質とを、相違させるも良い。また、カバーシート体４を、フィルム状に薄く形成するも良い。カバーシート体４が薄い場合、容易にファスナ２及びスライダ５を被覆することができる。そして、上記カバーシート体４の上記山折線７が、ファスナ２よりも下方に配設されることとなる。
【００１７】
カバーシート体４の被覆状態（即ち、ファスナ２及びスライダ５を被覆した状態）を保持する被覆状態保持手段19を有する。具体的には、カバーシート体４に、カバーシート体４の被覆状態を保持するために袋本体３に貼着可能な帯状剥離紙14付の粘着層15を、積層させる。カバーシート体４は、切離開封用ミシン目18を有する。ミシン目18が１本の場合、開封時にゴミが出ないという利点がある。
【００１８】
次に、本発明のスライダ付き収納袋の使用方法について説明する。収納物Ｓ（図４参照）を袋本体３に収納して、図２の矢印Ｙ1 に示すように、帯状剥離紙14を剥離させる。その後、図２の矢印Ｙ2 に示すように、垂下シート部６を捲上げて、図３に示すように、上方開口部１及びスライダ５を被覆する（使用状態）。図３（Ａ）は、図１のＡ−Ａ端面に相当する位置の要部拡大端面図を示す。図３（Ｂ）は、図１のＢ−Ｂ端面に相当する位置の要部拡大端面図を示す。収納物Ｓを取出す際は、図４に示すように、ミシン目18を切離すと、収納物Ｓを取出すことができる。
【００１９】
図５・図６は、第２の実施の形態を示す。収納物Ｓが、米Ｒ等の場合に、好適である。紙製（例えば、クラフト紙製）袋部16と、袋部16の上端縁部20に上方延設状に固着（例えば、両面粘着テープによる接着）されたファスナ取着用プラスチック製補助シート部17とを有する袋本体30と、補助シート部17に固着されて袋本体30の上方開口部31を被覆するプラスチック製カバーシート体４と、を、備える。上方開口部31にファスナ２が固着され、ファスナ２にスライド自在にスライダ５が取着される。なお、図５に於て、点々部は、溶着部を示す。その他の構成は、第１の実施の形態と同様である。
【００２０】
図７は、第３の実施の形態を示す。カバーシート体４が、垂下シート部６のみから成る。垂下シート部６の上端縁部21が、袋本体３に固着（融着）されている。その他の構成は、第１の実施の形態と同様である。
【００２１】
図８・図９は、第４の実施の形態を示す。上方開口部１にファスナ２が固着されたプラスチック製袋本体３と、袋本体３に固着されて上方開口部１を被覆するプラスチック製カバーシート体４と、ファスナ２にスライド自在に取着されるスライダ５を、備える。カバーシート体４の非被覆状態で、カバーシート体４をファスナ２より下方に配設するとともに、カバーシート体４が、垂下シート部６を有し、かつ、小切欠部32を有する。垂下シート部６を捲上げてファスナ２を被覆可能に構成するとともに、図９に示すように、被覆状態で小切欠部32からスライダ５が露出し、小切欠部32の内端縁部33によって、スライダ５の開く方向への移動を阻止するように構成する。その他の構成は、第１の実施の形態と同様である。
【００２２】
図10は、第５の実施の形態を示す。紙製袋部16と、袋部16の上端縁部20に上方延設状に固着されたファスナ取着用プラスチック製補助シート部17とを有する袋本体30と、補助シート部17に固着されて袋本体30の上方開口部31を被覆するプラスチック製カバーシート体４と、を、備える。上方開口部31にファスナ２が固着され、ファスナ２にスライド自在にスライダ５が取着される。カバーシート体４の非被覆状態で、カバーシート体４をファスナ２より下方に配設するとともに、カバーシート体４が、垂下シート部６（図６（Ａ）参照）を有し、かつ、小切欠部32を有する。垂下シート部６を捲上げてファスナ２を被覆可能に構成するとともに、図10に示すように、被覆状態で小切欠部32からスライダ５が露出し、小切欠部32の内端縁部33によって、スライダ５の開く方向への移動を阻止するように構成する。その他の構成は、第２の実施の形態と同様である。
【００２３】
図11（Ａ）及び上述の各実施例に於て示したように、ミシン目18の位置を、外シート部10の上部に形成する他、図11（Ｂ）に示すように、内シート部８と外シート部10の境界部分に形成するも良い。この場合、製造時に、容易に折曲げ形成（山折り）することができる。また、図11（Ｃ）に示すように、内シート部８の上部に形成するも良い。
【００２４】
本発明は、設計変更可能であって、例えば、カバーシート体４が、平行な２本のミシン目18を有するも良い。例えば、２本目のミシン目18を、外シート部10の中間高さに形成するも良い。２本のミシン目18によって、容易に開封することができる。
【００２５】
以上のように、本発明は、上方開口部１にファスナ２が固着されたプラスチック製袋本体３と、該袋本体３に固着されて上記上方開口部１を被覆するプラスチック製カバーシート体４と、上記ファスナ２にスライド自在に取着されるスライダ５を、備え、上記カバーシート体４の非被覆状態で、該カバーシート体４を上記ファスナ２より下方に配設するとともに、上記カバーシート体４が、垂下シート部６を有し、該垂下シート部６を捲上げて上記ファスナ２及び上記スライダ５を被覆可能に構成するとともに、上記カバーシート体４の被覆状態を保持する被覆状態保持手段19を有するので、商品（収納物Ｓ）を封入した後の輸送の際等にも、カバーシート体４にてスライダ５がスライドすることを防止することができ、不意に上方開口部１が開くことを防止することができる。また、非被覆状態で、カバーシート体４とファスナ２が離間して、ファスナ２が露出状なので、製造時にスライダ５を容易に後付け（取着）することができる。また、スライダ５をスムーズにスライドさせることができる。また、スライダ５近傍に於て、カバーシート体４が（正面視に於ける）凹凸を生じることなく、カバーシート体４にて平滑に被覆することができる。
【００２６】
また、上方開口部１にファスナ２が固着されたプラスチック製袋本体３と、該袋本体３に固着されて上記上方開口部１を被覆するプラスチック製カバーシート体４と、上記ファスナ２にスライド自在に取着されるスライダ５を、備え、上記カバーシート体４の非被覆状態で、該カバーシート体４を上記ファスナ２より下方に配設するとともに、上記カバーシート体４が、垂下シート部６を有し、かつ、小切欠部32を有し、該垂下シート部６を捲上げて上記ファスナ２を被覆可能に構成するとともに、被覆状態で上記小切欠部32から上記スライダ５が露出し、上記小切欠部32の内端縁部33によって、上記スライダ５の開く方向への移動を阻止するように構成し、さらに、上記カバーシート体４の被覆状態を保持する被覆状態保持手段19を有するので、商品（収納物Ｓ）を封入した後の輸送の際等にも、カバーシート体４の小切欠部32の内端縁部33にスライダ５が当接することによって、スライダ５がスライドすることを確実に防止することができ、不意に上方開口部１が開くことを防止することができる。また、非被覆状態で、カバーシート体４とファスナ２が離間して、ファスナ２が露出状なので、製造時にスライダ５を容易に後付け（取着）することができる。また、スライダ５をスムーズにスライドさせることができる。また、左右方向全幅にわたって、カバーシート体４が（正面視に於いて）上端縁がストレート状となり、カバーシート体４にて美しく平滑に被覆することができる。
【００２７】
また、紙製袋部16と、該袋部16の上端縁部20に上方延設状に固着されたファスナ取着用プラスチック製補助シート部17とを有する袋本体30と、上記補助シート部17に固着されて上記袋本体30の上方開口部31を被覆するプラスチック製カバーシート体４と、を、備え、上記上方開口部31にファスナ２が固着され、該ファスナ２にスライド自在にスライダ５が取着され、上記カバーシート体４の非被覆状態で、該カバーシート体４を上記ファスナ２より下方に配設するとともに、上記カバーシート体４が、垂下シート部６を有し、該垂下シート部６を捲上げて上記ファスナ２及び上記スライダ５を被覆可能に構成するとともに、上記カバーシート体４の被覆状態を保持する被覆状態保持手段19を有するので、商品（収納物Ｓ）を封入した後の輸送の際等にも、カバーシート体４にてスライダ５がスライドすることを防止することができ、不意に上方開口部31が開くことを防止することができる。特に、収納物Ｓが米Ｒ等である場合に、米袋等として好適である。また、非被覆状態で、カバーシート体４とファスナ２が離間して、ファスナ２が露出状なので、製造時にスライダ５を容易に後付け（取着）することができる。また、スライダ５をスムーズにスライドさせることができる。また、スライダ５近傍に於て、カバーシート体４が（正面視に於ける）凹凸を生じることなく、カバーシート体４にて平滑に被覆することができる。
【００２８】
また、紙製袋部16と、該袋部16の上端縁部20に上方延設状に固着されたファスナ取着用プラスチック製補助シート部17とを有する袋本体30と、上記補助シート部17に固着されて上記袋本体30の上方開口部31を被覆するプラスチック製カバーシート体４と、を、備え、上記上方開口部31にファスナ２が固着され、該ファスナ２にスライド自在にスライダ５が取着され、上記カバーシート体４の非被覆状態で、該カバーシート体４を上記ファスナ２より下方に配設するとともに、上記カバーシート体４が、垂下シート部６を有し、かつ、小切欠部32を有し、該垂下シート部６を捲上げて上記ファスナ２を被覆可能に構成するとともに、被覆状態で上記小切欠部32から上記スライダ５が露出し、上記小切欠部32の内端縁部33によって、上記スライダ５の開く方向への移動を阻止するように構成し、さらに、上記カバーシート体４の被覆状態を保持する被覆状態保持手段19を有するので、商品（収納物Ｓ）を封入した後の輸送の際等にも、カバーシート体４の小切欠部32の内端縁部33にスライダ５が当接することによって、スライダ５がスライドすることを確実に防止することができ、不意に上方開口部31が開くことを防止することができる。特に、収納物Ｓが米Ｒ等である場合に、米袋等として好適である。また、非被覆状態で、カバーシート体４とファスナ２が離間して、ファスナ２が露出状なので、製造時にスライダ５を容易に後付け（取着）することができる。また、スライダ５をスムーズにスライドさせることができる。また、左右方向全幅にわたって、カバーシート体４が（正面視に於いて）上端縁がストレート状となり、カバーシート体４にて美しく平滑に被覆することができる。
【００２９】
また、上記カバーシート体４が矩形状であって、山折線７をもって折曲げられて、上記袋本体３側に配設される内シート部８と、該内シート部８の外面９側に配設される外シート部10とが、形成されており、上記内シート部８の側端縁部11及び下端縁部12が、袋本体３に固着されて、上記袋本体３と上記内シート部８とによりポケット部13を形成したので、ポケット部13に商品名、商品の詳細、広告宣伝等を記載した紙片等を収納して、外部から見えるようにすることができる。
【符号の説明】
【００３０】
１  上方開口部
２  ファスナ
３  袋本体
４  カバーシート体
５  スライダ
６  垂下シート部
７  山折線
８  内シート部
９  外面
10  外シート部
11  側端縁部
12  下端縁部
13  ポケット部
14  帯状剥離紙
15  粘着層
16  （紙製）袋部
17  （プラスチック製）補助シート部
19  被覆状態保持手段
20  上端縁部
30  袋本体
31  上方開口部
32  小切欠部
33  内端縁部
【図１】
2020104856.tif 000003
【図２】
2020104856.tif 000004
【図３】
2020104856.tif 000005
【図４】
2020104856.tif 000006
【図５】
2020104856.tif 000007
【図６】
2020104856.tif 000008
【図７】
2020104856.tif 000009
【図８】
2020104856.tif 000010
【図９】
2020104856.tif 000011
【図１０】
2020104856.tif 000012
【図１１】
2020104856.tif 000013
【図１２】
2020104856.tif 000014